(57)【要約】【課題】捻りや擦り傷の発生を防止して外観品質を向上させた組立函を形成する自動製函機を提供する。【解決手段】原紙２を集積保持する給紙部３０と、給紙部３０より水平搬送された原紙２を折り曲げて折癖を付与する折癖部４０と、折癖部４０にて折癖が付与された原紙２を折り込む製函部５０と、を具備してなり、折癖部４０は、原紙２を吸着保持して搬送方向下流側に水平搬送する搬送ユニット４１・４２・４３・４４と、搬送ユニット４１・４２・４３・４４にて搬送された原紙２を下型体７０に載置させ、原紙２の上方に上型体８０・８１を位置させた状態で、折曲体９０・９２・９４を内側方向に回動させて、上型体８０・８１の形状に沿わせて所定の折目線の位置で外側壁４・４・５・５、内側壁６・６・７・７、又は係止片８・８・９・９を折り曲げる折癖ユニット４５・４６・４７・４８と、が設けられる。【選択図】図１
2019038150.tif 000002
【特許請求の範囲】
【請求項１】
平面視四角形の底壁と、該底壁の四周辺に折目線を介して連設される外側壁と、該外側壁の外側に折目線を介して連設される内側壁と、該内側壁の外側に折目線を介して連設される係止片と、を有する原紙を組み立てて二重側壁組立函を形成する自動製函機において、
原紙を集積保持する給紙部と、
前記給紙部より水平搬送された原紙の外側壁、内側壁及び係止片を折目線に沿って折り曲げて折癖を付与する折癖部と、
前記折癖部にて折癖が付与された原紙を折り込む製函部と、を具備してなり、
前記折癖部は、
水平方向に沿って複数配設され、原紙を吸着保持して搬送方向下流側に水平搬送する搬送ユニットと、
水平方向に沿って複数配設され、前記搬送ユニットにて搬送された原紙を下型体に載置させ、原紙の上方に上型体を位置させた状態で、折曲体を内側方向に回動させて、前記上型体の形状に沿わせて所定の折目線の位置で外側壁、内側壁、又は係止片を折り曲げる折癖ユニットと、
が設けられることを特徴とする自動製函機。
【請求項２】
前記折癖部は、左右の外側壁、前後の外側壁、左右の内側壁及び左右の係止片、並びに前後の内側壁及び前後の係止片を個別に折り曲げて折癖を付与する複数の折癖ユニットが設けられる請求項１に記載の自動製函機。
【請求項３】
前記折癖ユニットは、原紙の底壁と前後又は左右の外側壁との離間の折目線に沿うように配設される断面長方形状の上型体を有してなり、前記折曲体を回動させて前記上型体の側面に外側壁が当接するように折目線の位置で折り曲げ、前記上型体を退避させた後に、更に前記折曲体を回動させて外側壁が底壁に当接するように折目線の位置で折り曲げて、折癖を付与する請求項１又は請求項２に記載の自動製函機。
【請求項４】
前記折癖ユニットは、原紙の前後又は左右の外側壁と内側壁との離間の折目線に沿うように配設される断面略Ｌ字状の上型体を有してなり、前記折曲体を回動させて前記上型体の水平部の上面に内側壁が当接するように折目線の位置で折り曲げるとともに、前記上型体の垂直部の側面に係止片の外辺が当接するように折目線の位置で斜めに折り曲げて、折癖を付与する請求項１乃至請求項３のいずれか一項に記載の自動製函機。
【請求項５】
前記搬送ユニットは、上下往復動可能かつ前後往復動可能に配設される搬送フレームと、該搬送フレームに配設される原紙吸着保持用の吸着体とを有してなる請求項１乃至請求項４のいずれか一項に記載の自動製函機。
【発明の詳細な説明】
【技術分野】
【０００１】
本発明は、自動製函機の技術に関し、より詳細には、平面視四角形の底壁と、該底壁の四周辺に折目線を介して連設される外側壁と、該外側壁の外側に折目線を介して連設される内側壁と、該内側壁の外側に折目線を介して連設される係止片と、を有する原紙を組み立てて二重側壁組立函を形成する自動製函機に関する。
【背景技術】
【０００２】
従来、平面視四角形の底壁と、底壁の四周辺に折目線を介して連設される外側壁と、外側壁の外側に折目線を介して連設される内側壁と、内側壁の外側に折目線を介して連設される係止片と、を有する原紙を組み立てて二重側壁組立函を形成する自動製函機の構成が公知となっている。かかる二重側壁組立函は、前後左右の係止片を係合させて組み立てられるので糊付けが不要であり、また底壁の四周が部分的に二重壁となるため強度を維持できるという利点がある。そして、この種の二重側壁組立函を形成する自動製函機では、塵埃等の異物の混入や付着を防止するために、原紙から組立函を自動的に組み立て可能に構成したものが多数提案されている。
【０００３】
従来の二重側壁組立函用の自動製函機としては、例えば、特許文献１に開示されるように、原紙を集積保持する給紙部と、給紙部の水平方向下流位置に配設され、給紙部より供給された原紙を無停止状態でガイド体に沿って搬送させながら、左右の内側壁及び左右の係止片を折目線に沿って予め折り曲げる折曲部と、折曲部の水平方向下流位置に配設され、折曲部にて内側壁等が折り曲げられた原紙を折り込む製函部と、を具備してなる構成が提案されている。かかる構成によれば、製函部で全ての側壁を折り込むのではなく、折曲部にて左右の内側壁等を予め無停止状態で折り曲げるものであるため、製函速度の向上が期待できる。
【０００４】
しかながら、上述した特許文献１に開示される従来の自動製函機の構成では、折曲部にて左右の内側壁及び左右の係止片のみを予め折り曲げ、製函部にて折癖を付与することなく残りの外側壁等を折り曲げるものであったため、完成品である組立函において捩れや捻りが生じる場合があり、また、折曲部にて無停止状態でガイド体に沿って搬送させるものであったため、搬送中に原紙に擦り傷が付く場合があるなど、得られる組立函の外観品質（形状及び表面状態）に劣るという問題があった。特に、近年では、撓みや傷のない高品質な組立函の用途やニーズが高まっており、高品質の組立函を得ることができる自動製函機の提案が希求されている。
【先行技術文献】
【特許文献】
【０００５】
【特許文献１】実開昭５８−１５０３０号公報
【発明の概要】
【発明が解決しようとする課題】
【０００６】
そこで、本発明では、自動製函機に関し、前記従来の課題を解決するもので、捻りや擦り傷の発生を防止して外観品質を向上させた組立函を形成する自動製函機を提供することを目的とする。
【課題を解決するための手段】
【０００７】
本発明の解決しようとする課題は以上の如くであり、次にこの課題を解決するための手段を説明する。
【０００８】
すなわち、請求項１においては、平面視四角形の底壁と、該底壁の四周辺に折目線を介して連設される外側壁と、該外側壁の外側に折目線を介して連設される内側壁と、該内側壁の外側に折目線を介して連設される係止片と、を有する原紙を組み立てて二重側壁組立函を形成する自動製函機において、原紙を集積保持する給紙部と、前記給紙部より水平搬送された原紙の外側壁、内側壁及び係止片を折目線に沿って折り曲げて折癖を付与する折癖部と、前記折癖部にて折癖が付与された原紙を折り込む製函部と、を具備してなり、前記折癖部は、水平方向に沿って複数配設され、原紙を吸着保持して搬送方向下流側に水平搬送する搬送ユニットと、水平方向に沿って複数配設され、前記搬送ユニットにて搬送された原紙を下型体に載置させ、原紙の上方に上型体を位置させた状態で、折曲体を内側方向に回動させて、前記上型体の形状に沿わせて所定の折目線の位置で外側壁、内側壁、又は係止片を折り曲げる折癖ユニットと、が設けられるものである。
【０００９】
請求項２においては、前記折癖部は、左右の外側壁、前後の外側壁、左右の内側壁及び左右の係止片、並びに前後の内側壁及び前後の係止片を個別に折り曲げて折癖を付与する複数の折癖ユニットが設けられるものである。
【００１０】
請求項３においては、前記折癖ユニットは、原紙の底壁と前後又は左右の外側壁との離間の折目線に沿うように配設される断面長方形状の上型体を有してなり、前記折曲体を回動させて前記上型体の側面に外側壁が当接するように折目線の位置で折り曲げ、前記上型体を退避させた後に、更に前記折曲体を回動させて外側壁が底壁に当接するように折目線の位置で折り曲げて、折癖を付与するものである。
【００１１】
請求項４においては、前記折癖ユニットは、原紙の前後又は左右の外側壁と内側壁との離間の折目線に沿うように配設される断面略Ｌ字状の上型体を有してなり、前記折曲体を回動させて前記上型体の水平部の上面に内側壁が当接するように折目線の位置で折り曲げるとともに、前記上型体の垂直部の側面に係止片の外辺が当接するように折目線の位置で斜めに折り曲げて、折癖を付与するものである。
【００１２】
請求項５においては、前記搬送ユニットは、上下往復動可能かつ前後往復動可能に配設される搬送フレームと、該搬送フレームに配設される原紙吸着保持用の吸着体とを有してなるものである。
【発明の効果】
【００１３】
本発明の効果として、捻りや擦り傷の発生を防止して外観品質を向上させた組立函を形成することができる。
【図面の簡単な説明】
【００１４】
【図１】本発明の一実施例に係る自動製函機の全体的な構成を示した側面図である。
【図２】図１の自動製函機で組み立てられる二重側壁組立函の斜視図である。
【図３】図１の自動製函機で用いられる原紙の平面図である。
【図４】折癖部における原紙の搬送機構を示した側面図である。
【図５】同じく折癖部における原紙の搬送機構を示した側面図である。
【図６】第一の折癖ユニットの平面図である。
【図７】第一の折癖ユニット及び搬送ユニットの正面図である。
【図８】第二の折癖ユニットの平面図である。
【図９】第二の折癖ユニット及び搬送ユニットの側面図である。
【図１０】第三の折癖ユニットの平面図である。
【図１１】第三の折癖ユニット及び搬送ユニットの側面図である。
【図１２】第四の折癖ユニットの平面図である。
【図１３】第四の折癖ユニット及び搬送ユニットの正面図である。
【図１４】第一の折癖ユニットにて原紙が折り曲げられる様子を示した斜視図である。
【図１５】第二の折癖ユニットにて原紙が折り曲げられる様子を示した斜視図である。
【図１６】第三の折癖ユニットにて原紙が折り曲げられる様子を示した斜視図である。
【図１７】第四の折癖ユニットにて原紙が折り曲げられる様子を示した斜視図である。
【図１８】第一の折癖ユニットにおける折曲体の動作を示した図である。
【図１９】第三の折癖ユニットにおける折曲体の動作を示した図である。
【図２０】製函部にて原紙が組み立てられる様子を示した斜視図である。
【図２１】別実施例の自動製函機で用いられる原紙の平面図である。
【発明を実施するための形態】
【００１５】
次に、発明を実施するための形態を説明する。
【００１６】
まず、本実施例の自動製函機１００で用いられる原紙２の構成について、以下に説明する。なお、以下の実施例においては、図において矢印Ｘ方向を前後方向、矢印Ｙ方向を左右方向、矢印Ｚ方向を上下方向とする。
【００１７】
図１乃至図３に示すように、本実施例の自動製函機１００では、原紙２を所定の折目線にて折り曲げて、例えば、食品や菓子用のケースとして用いられる上方に開口した直方体の二重側壁組立函１が組み立てられる。原紙２は、平面視四角形の底壁３と、底壁３の四周辺に折目線１０・１０・１１・１１を介して連設される外側壁４・４・５・５と、外側壁４・４・５・５の外側に折目線１２・１２・１３・１３を介して連設される内側壁６・６・７・７と、内側壁６・６・７・７の外側に折目線１４・１４・１５・１５を介して連設される係止片８・８・９・９等とを有している。
【００１８】
底壁３の左右の長辺には、折目線１０・１０を介して左右の外側壁４・４が連設され、外側壁４・４の外側に折目線１２・１２を介して左右の内側壁６・６が連設され、内側壁６・６の外側に折目線１４・１４を介して係止片８・８が連設されている。また、底壁３の前後の短辺には、折目線１１・１１を介して前後の外側壁５・５が連設され、外側壁５・５の外側に折目線１３・１３を介して前後の内側壁７・７が連設され、内側壁７・７の外側に折目線１５・１５を介して前後の係止片９・９が連設されている。
【００１９】
左右の外側壁４・４の前後に折目線１６・１６を介して折片１７・１７が連設されるとともに、前後の外側壁５・５の左右に折目線１８・１８を介して折片１９・１９が連設され、各折片１７と折片１９とが斜めの折目線２０を介して連設されている。左右の内側壁６・６の前後には、折目線２１・２１を介して耳片２２・２２が連設されている。
【００２０】
次に、本実施例の自動製函機１００の全体構成について、以下に詳述する。
【００２１】
図１、図４乃至図１３に示すように、本実施例の自動製函機１００は、上述した所定形状の原紙２を折り曲げて二重側壁組立函１を自動的に組み立てる製函機として構成されており、具体的には、原紙２を集積保持する給紙部３０と、給紙部３０の前方位置に配設され、給紙部３０より水平搬送された原紙２の外側壁４・４・５・５、内側壁６・６・７・７及び係止片８・８・９・９を折目線１０・１０・１１・１１・１２・１２・１３・１３・１４・１４・１５・１５に沿って折り曲げて折癖を付与する折癖部４０と、折癖部４０の前方位置に配設され、折癖部４０にて折癖が付与された原紙２を折り込む製函部５０等と、を具備してなるものである。
【００２２】
図１及び図４に示すように、給紙部３０は、複数の原紙２・２・・・を多数積み重ねた状態で集積保持し、最上位の原紙２が水平搬送されて搬送方向下流側（図１において紙面右側から紙面左側）に供給される。給紙部３０は、装置最後方位置に配設され、原紙ホルダ装置３１内に原紙２の表側（二重側壁組立函１としたときの凹部側）が上方を向き、長辺が左右方向に向くように水平保持されている。原紙ホルダ装置３１に保持された原紙２は、最上位置のものから順に後述する搬送ユニット４１にて持ち上げられて、第一の折癖ユニット４５に水平搬送される（図４等参照）。
【００２３】
図１、図４及び図５に示すように、折癖部４０は、給紙部３０の前方位置に水平方向に沿って複数配設され、原紙２を吸着保持して搬送方向下流側に水平搬送する搬送ユニット４１・４２・４３・４４と、水平方向に沿って複数配設され、搬送ユニット４１・４２・４３・４４にて搬送された原紙２を所定の折目線１０・１０・１１・１１・１２・１２・１３・１３・１４・１４・１５・１５の位置で外側壁４・４・５・５、内側壁６・６・７・７及び係止片８・８・９・９を折り曲げる折癖ユニット４５・４６・４７・４８等とが設けられている。
【００２４】
本実施例の折癖部４０は、搬送ユニット４１・４２・４３・４４と、折癖ユニット４５・４６・４７・４８がそれぞれ搬送方向上流側から下流側に向けて順に水平方向に沿って設けられている。折癖ユニット４５・４６・４７・４８としては、左右の外側壁４・４を折り曲げて折癖を付与する第一の折癖ユニット４５と、前後の外側壁５・５を折り曲げて折癖を付与する第二の折癖ユニット４６と、前後の内側壁７・７及び前後の係止片９・９を折り曲げて折癖を付与する第三の折癖ユニット４７と、並びに左右の内側壁６・６及び左右の係止片８・８を折り曲げて折癖を付与する第四の折癖ユニット４８とが設けられている。
【００２５】
図１、図４、図５、図７、図９及び図１３に示すように、搬送ユニット４１・４２・４３・４４は、上下往復動可能かつ前後往復動可能に配設される搬送フレーム６０・６１と、搬送フレーム６０・６１に配設され原紙吸着保持するための複数の吸着体６２・６２・・・等とで構成されている。搬送ユニット４１・４２は、搬送方向上流側の搬送フレーム６０の前後位置に形成され、搬送ユニット４３・４４は、搬送方向下流側の搬送フレーム６１の前後位置に形成されている。
【００２６】
搬送フレーム６０・６１は、上方位置の機体フレームに配設された搬送機構６６・６７に接続されており、搬送機構６６・６７の上下昇降装置６６ａ・６７ａにて上下方向に往復動されるとともに、搬送機構６６・６７の前後移動装置６６ｂ・６７ｂにて上下昇降装置６６ａ・６７ａ（の昇降機構）と一体に前後方向に往復動される。搬送機構６６・６７は、搬送フレーム６０・６１の上下往復動及び前後往復動が同期するように設定されており、搬送ユニット４１・４２・４３・４４のそれぞれで同じタイミングで原紙２が水平搬送される。
【００２７】
吸着体６２は、図示せぬ吸引機構に接続されており、原紙２に当接した状態で端面に原紙２を真空吸着させて保持可能に構成されている。本実施例では、搬送フレーム６０の搬送方向上流側に搬送ユニット４１を構成する吸着体６２が配設され、搬送フレーム６０の搬送方向下流側に搬送ユニット４２を構成する吸着体６２が配設されるとともに、搬送フレーム６１の搬送方向上流側に搬送ユニット４３を構成する吸着体６２が配設され、搬送フレーム６１の搬送方向下流側に搬送ユニット４４を構成する吸着体６２が配設されている。
【００２８】
搬送ユニット４１・４２・４３・４４は、原紙２を搬送方向下流側に搬送するピッチ（搬送ピッチ）がそれぞれ等しくなるように水平方向に略等間隔に配置されており、給紙部３０の原紙ホルダ装置３１に保持された原紙２が搬送ユニット４１にて持ち上げられて第一の折癖ユニット４５へと水平搬送され、第一の折癖ユニット４５で折癖が付与された原紙２が搬送ユニット４２にて持ち上げられて第二の折癖ユニット４６へと水平搬送され（図４参照）。また、第二の折癖ユニット４６で折癖が付与された原紙２が搬送ユニット４３にて持ち上げられて第三の折癖ユニット４７へと水平搬送され、第三の折癖ユニット４７で折癖が付与された原紙２が搬送ユニット４４にて持ち上げられて第四の折癖ユニット４８へと水平搬送される（図５参照）。
【００２９】
図１、図４乃至図１３に示すように、折癖ユニット４５・４６・４７・４８は、搬送ユニット４１・４２・４３・４４にて搬送された原紙２が載置される下型体７０と、原紙２の所定の折目線１０・１０・１１・１１・１２・１２・１３・１３に沿うように配設される上型体８０・８１と、内側方向に回動させて、上型体８０・８１の形状に沿わせて所定の折目線１０・１０・１１・１１・１２・１２・１３・１３・１４・１４・１５・１５の位置で外側壁４・４・５・５、内側壁６・６・７・７及び係止片８・８・９・９を折り曲げる折曲体９０・９２・９４等とで構成されている。
【００３０】
図１、図４、図６及び図７に示したように、第一の折癖ユニット４５は、一対の下型体７０・７０が前後方向に向けて底壁３の左右の長辺に沿うように離間を有して配設され、一対の下型体７０の外側位置に一対の折曲体９０・９０が前後方向に向けて配設されるとともに、搬送ユニット４１の搬送フレーム６０に一対の上型体８０・８０が前後方向に向けて離間を有して配設されている。
【００３１】
下型体７０は、平面視略長板状のフレーム体として機体フレームに連設される固定支持体７１に取り付けられ、前後方向に向けて所定の離間を有するようにして、それぞれ平行に配置されている。下型体７０の上面には、吸着体７０ａが配設された原紙載置用の水平面が形成されている。吸着体７０ａは、図示せぬ吸引機構に接続されており、下型体７０に原紙２が載置された状態で、端面に底壁３を真空吸着させて保持可能に構成されている。
【００３２】
上型体８０は、薄長板状のフレーム体として上述した搬送ユニット４１に取り付けられ、吸着体６２の外側位置に前後方向に向けて所定の離間を有するようにして、それぞれ平行に配置されている。本実施例では、上型体８０は、断面長方形状の外側壁用の型体として形成され、搬送ユニット４１の搬送フレーム６０に取り付けられ、吸着体６２にて原紙２が吸着保持された状態では、原紙２の底壁３と左右の外側壁４・４との離間の折目線１０・１０に沿って当接されている（図７参照）。
【００３３】
折曲体９０は、平面視略長板状のフレーム体として可動支持体９１に取り付けられ、下型体７０の外側位置に前後方向に向けて所定の離間を有するようにして、それぞれ平行に配置されている。折曲体９０の上面には、吸着体９０ａが配設された原紙当接用の水平面が形成されている。吸着体９０ａは、図示せぬ吸引機構に接続されており、下型体７０に原紙２が載置された状態で、端面に外側壁４・４を真空吸着させて保持可能に構成されている。
【００３４】
可動支持体９１は、固定支持体７１に対して内側方向に左右回動可能となるように配設されており、可動支持体９１が回動動作されることで、折曲体９０が下型体７０に対して面一に水平となる状態と、略１８０度回転されて下型体７０の上面と近接する状態とに切り替えられる。本実施例では、折曲体９０は、吸着体９０ａにて外側壁４・４を吸着保持したまま可動支持体９１にて内側方向に回動されて、水平状態と近接状態とが切り替えられるように構成されている（図１８参照）。
【００３５】
図１、図４、図５、図８及び図９に示したように、第二の折癖ユニット４６は、第一の折癖ユニット４５とは異なり、一対の下型体７０・７０が左右方向に向けて底壁３の前後の短辺に沿うように離間を有して配設され、一対の下型体７０・７０の外側位置に一対の折曲体９２・９２が左右方向に向けて配設されるとともに、搬送ユニット４２の搬送フレーム６０に上型体８０が左右方向に向けて離間を有して配設されている。
【００３６】
第二の折癖ユニット４６の上型体８０は、薄長板状のフレーム体として上述した搬送ユニット４２に取り付けられ、吸着体６２の外側位置に左右方向に向けて所定の離間を有するようにして、それぞれ平行に配置されている。本実施例では、上型体８０は、搬送ユニット４２の搬送フレーム６０に取り付けられ、搬送ユニット４１の搬送フレーム６０に取り付けられ、吸着体６２にて原紙２が吸着保持された状態では、原紙２の底壁３と前後の外側壁５・５との離間の折目線１１・１１に沿って当接される（図９参照）。
【００３７】
折曲体９２は、平面視略長板状の一対のフレーム体として可動支持体９３に内側方向に回動可能にそれぞれ配設されており、下型体７０の外側位置に左右方向に向けて所定の離間を有するようにして、それぞれ平行に配置されている。折曲体９２の上面には、吸着体９２ａが配設された原紙当接用の水平面が形成されている。吸着体９２ａは、図示せぬ吸引機構に接続されており、下型体７０に原紙２が載置された状態で、端面に外側壁５・５を真空吸着させて保持可能に構成されている。
【００３８】
可動支持体９３は、固定支持体７１に対して内側方向に前後回動可能となるように配設されており、可動支持体９３が回動動作されることで、折曲体９２が下型体７０に対して面一に水平となる状態と、略１８０度回転されて下型体７０の上面と近接する状態とに切り替えられる。本実施例では、折曲体９２は、吸着体９２ａにて外側壁５・５を吸着保持したまま可動支持体９３にて内側方向に回動されて、水平状態と近接状態とが切り替えられるように構成されている。
【００３９】
図１、図５、図１０及び図１１に示したように、第三の折癖ユニット４７は、一対の下型体７０・７０が左右方向に向けて底壁３の前後の短辺に沿うように離間を有して配設されるが、第二の折癖ユニット４６とは異なり、一対の下型体７０・７０の外側位置に一対の折曲体９４・９４が左右方向に向けてそれぞれ配設されるとともに、搬送ユニット４３の搬送フレーム６１に上型体８１が左右方向に向けて離間を有して配設されている。
【００４０】
上型体８１は、薄長板状のフレーム体として上述した搬送ユニット４３に取り付けられ、吸着体６２の外側位置に左右方向に向けて所定の離間を有するようにして、それぞれ平行に配置されている。本実施例では、上型体８１は、断面略Ｌ字状の内壁用の型体として形成され、搬送ユニット４３の搬送フレーム６１に取り付けられ、吸着体６２にて原紙２が吸着保持された状態では、原紙２の前後の外側壁５・５と内側壁７・７との離間の折目線１３・１３に沿って当接される。
【００４１】
折曲体９４は、平面視略長板状の一対のフレーム体として可動支持体９５に内側方向に回動可能にそれぞれ配設されており、下型体７０の外側位置に左右方向に向けて所定の離間を有するようにして、それぞれ平行に配置されている。折曲体９４の上面には、吸着体９４ａが配設された原紙当接用の水平面が形成されている。吸着体９４ａは、図示せぬ吸引機構に接続されており、下型体７０に原紙２が載置された状態で、端面に内側壁７・７を真空吸着させて保持可能に構成されている。
【００４２】
可動支持体９５は、固定支持体７１に対して内側方向に前後回動可能となるように配設されており、可動支持体９５が回動動作されることで、折曲体９４が下型体７０に対して面一に水平となる状態と、略１８０度回転されて下型体７０の上面と近接する状態とに切り替えられる。本実施例では、折曲体９４は、吸着体９４ａにて内側壁７・７を吸着保持したまま可動支持体９５にて内側方向に回動されて、水平状態と近接状態とが切り替えられるように構成されている（図１９参照）。
【００４３】
図１、図５、図１２及び図１３に示したように、第四の折癖ユニット４８は、一対の下型体７０・７０が前後方向に向けて底壁３の左右の長辺に沿うように離間を有して配設されるが、第一の折癖ユニット４５とは異なり、一対の下型体７０の外側位置に一対の折曲体９４・９４が前後方向に向けて配設されるとともに、搬送ユニット４４の搬送フレーム６１に一対の上型体８１・８１が前後方向に向けて離間を有して配設されている。
【００４４】
第四の折癖ユニット４８の上型体８１は、薄長板状のフレーム体として上述した搬送ユニット４４に取り付けられ、吸着体６２の外側位置に前後方向に向けて所定の離間を有するようにして、それぞれ平行に配置されている。本実施例では、上型体８１は、搬送ユニット４４の搬送フレーム６１に取り付けられ、吸着体６２にて原紙２が吸着保持された状態では、原紙２の左右の外側壁４・４と内側壁６・６との離間の折目線１２・１２に沿って当接される。
【００４５】
第四の折癖ユニット４８の折曲体９４は、平面視略長板状の一対のフレーム体として可動支持体９５に内側方向に回動可能にそれぞれ配設されており、下型体７０の外側位置に前後方向に向けて所定の離間を有するようにして、それぞれ平行に配置されている。折曲体９４の上面には、吸着体９４ａが配設された原紙当接用の水平面が形成されている。吸着体９４ａは、図示せぬ吸引機構に接続されており、下型体７０に原紙２が載置された状態で、端面に内側壁６・６を真空吸着させて保持可能に構成されている。
【００４６】
図１に示したように、製函部５０は、折癖部４０の前方位置に配設され、折癖が付与された原紙２を折り込んで二重側壁組立函１を完成させる製函装置として構成されている。本実施例の製函部５０は、原紙２を搬入出する搬送体５１と、搬送ユニット４４にて搬送された原紙２が載置される下型体５２と、原紙２の所定の折目線１０・１０・１１・１１に沿うように配設される上型体５３と、内側方向に回動させて所定の折目線１０・１０・１１・１１・１２・１２・１３・１３・１４・１４・１５・１５の位置で外側壁４・４・５・５、内側壁６・６・７・７及び係止片８・８・９・９を折り曲げる折曲体５４・５５・５６・５７等とが設けられている。
【００４７】
搬送体５１は、上下往復動可能かつ前後往復動可能な一対のフレーム体として構成され、下方位置の機体フレームに配設された搬送機構５８に接続されて、上下昇降装置５８ａにて上下方向に往復動されるとともに、前後移動装置５８ｂにて上下昇降装置５８ａと一体に支持されて前後方向に往復動される。搬送機構５８は、搬送体５１の上下往復動及び前後往復動が同期するように設定されており、後方の搬送体５１にて原紙２が下方より持ち上げられて折癖部４０（の折癖ユニット４８）から製函部５０へと水平搬送（搬入）されるとともに、前方の搬送体５１にて原紙２が下方より持ち上げられて搬出装置５８ｃへと水平搬送（搬出）される。
【００４８】
下型体５２は、平面視略長板状の一対のフレーム体として機体フレームに配設されており、前後方向に向けて上述した搬送体５１が上下方向に通過できるように所定の離間を有するようにそれぞれ平行に配置されている。下型体５２の上面には、原紙載置用の水平面が形成されており、上述した搬送体５１にて搬送された原紙２が載置される。
【００４９】
上型体５３は、薄長板状の一対のフレーム体として前後方向に向けて所定の離間を有するようにして、それぞれ平行に配置されている。上型体５３は、搬送体５１の上方位置に配設される昇降装置５９に取り付けられ、搬送体５１にて原紙２が下型体５２に載置されると、所定のタイミングで昇降装置５９にて下動されて、原紙２に当接される。
【００５０】
左右折曲体５４・５５は、平面視略長板状の一対のフレーム体として内側方向に左右回動可能にそれぞれ配設されており、下型体５２の左右外側位置に前後方向に向けて所定の離間を有するようにして、それぞれ平行に配置されている。第一の左右折曲体５４・５４は、搬送体５１にて原紙２が下型体５２上に載置された状態で内側方向に回動されることで、左右の外側壁４・４を折目線１０・１０で折り曲げて立ち上げ、第二の左右折曲体５５・５５は、第一の左右折曲体５４・５４と連動して内側方向に回動されることで、左右の内側壁６・６及び係止片８・８を折目線１２・１２・１４・１４で折り曲げて二重側壁組立函１の左右の側壁を形成するように構成されている。
【００５１】
前後曲折体５６・５７は、平面視略長板状の一対のフレーム体として内側方向に前後回動可能にそれぞれ配設されており、下型体５２の前後外側位置に左右方向に向けて所定の離間を有するようにして、それぞれ平行に配置されている。第一の前後折曲体５６は、左右折曲体５４・５５にて二重側壁組立函１の左右の側壁が形成された状態で内側方向に回動されることで、前後の外側壁５・５を折目線１１・１で折り曲げて立ち上げ、また、第二の前後曲折体５７・５７は、第一の前後曲折体５６・５６と連動して内側方向に回動されることで、前後の内側壁５・５及び係止片７・７を折目線１３・１３・１５・１５で折り曲げて二重側壁組立函１の前後の側壁を形成するように構成されている。
【００５２】
次に、図１４乃至図２０を参照しながら、本実施例の自動製函機１００を用いた二重側壁組立函１の形成工程について、以下に詳述する。
【００５３】
まず、給紙部３０の原紙ホルダ装置３１に集積保持された原紙２は、折癖部４０の搬送ユニット４１の搬送フレーム６０が後方位置に移動され、原紙ホルダ装置３１の上方位置にて上下昇降されて、最上位置の原紙２が吸着体６２にて吸着保持された状態で持ち上げられ、前方位置の第一の折癖ユニット４５へと水平搬送される（図４（ａ）参照）。そして、第一の折癖ユニット４５の上方位置にて搬送フレーム６０が下動されることで、第一の折癖ユニット４５の下型体７０・７０に載置される（図４（ｂ）及び図７参照）。
【００５４】
図１４及び図１８に示すように、第一の折癖ユニット４５では、折曲体９０・９０を回動させて上型体８０・８０の側面に左右の外側壁４・４が当接するように折目線１０・１０の位置で折り曲げ、上型体８０・８０を退避させた後に、更に折曲体９０・９０を回動させて左右の外側壁４・４が底壁３に当接するように折目線１０・１０の位置で折り曲げて、折癖を付与する。
【００５５】
具体的には、搬送ユニット４１にて原紙２が下型体７０・７０に載置されると、上型体８０・８０にて下型体７０・７０に押さえ付けられ、搬送ユニット４１の吸着体６２による吸着保持が解除されるとともに、下型体７０の吸着体７０ａ及び折癖体９０の吸着体９０ａにて原紙２が吸着保持される（図１８（ａ）参照）。かかる状態では、原紙２の底壁３と左右の外側壁４・４との離間の折目線１０・１０に沿って上型体８０・８０が当接されている。次いで、折曲体９０・９０が前後方向の軸を中心に互いに左右内側方向に回動されることで、上型体８０・８０の形状に沿わせて折目線１０・１０の位置で左右の外側壁４・４が垂直方向に曲げられて谷折り（以下、原紙２を開いた状態で上方から見て、折目が高くなることを「山折り」、折目が低くなることを「谷折り」という。）される（図１８（ｂ）参照）。
【００５６】
そして、搬送ユニット４１の搬送フレーム６０が上動されて上型体８０・８０が退避されると、さらに折曲体９０・９０が左右内側方向に下型体７０の上面と近接するように略１８０度回転されることで、左右の外側壁４・４が底壁３に近接して折り曲げられる（図１８（ｃ）参照）。その後、折曲体９０・９０が逆方向に回動されて元の状態に戻ることで、折目線１０・１０の位置で谷折りの折癖が付与される（図１８（ｄ）参照）。
【００５７】
次いで、第一の折癖ユニット４５にて折癖が付与された原紙２は、搬送ユニット４２の搬送フレーム６０が後方位置に移動され、第一の折癖ユニット４５の上方位置にて上下昇降されて、吸着体６２にて吸着保持された状態で持ち上げられ、前方位置の第二の折癖ユニット４６へと水平搬送される（図４（ａ）参照）。そして、第二の折癖ユニット４６の上方位置にて搬送フレーム６０が下動されることで、第二の折癖ユニット４６の下型体７０・７０に載置される（図４（ｂ）及び図９参照）。
【００５８】
図１５に示すように、第二の折癖ユニット４６では、第一の折癖ユニット４７と同様に、折曲体９１・９１を回動させて上型体８０・８０の側面に前後の外側壁５・５が当接するように折目線１１・１１の位置で折り曲げ、上型体８０・８０を退避させた後に、更に折曲体９２・９２を回動させて前後の外側壁５・５が底壁３に当接するように折目線１１・１１の位置で折り曲げて、折癖を付与する。
【００５９】
具体的には、搬送ユニット４２にて原紙２が下型体７０・７０に載置されると、上型体８０・８０にて下型体７０・７０に押さえ付けられ、搬送ユニット４２の吸着体６２による吸着保持が解除されるとともに、下型体７０の吸着体７０ａ及び折癖体９２の吸着体９２ａにて原紙２が吸着保持される。かかる状態では、原紙２の底壁３と前後の外側壁５・５との離間の折目線１１・１１に沿って上型体８０・８０が当接されている。次いで、折曲体９２・９２が左右方向の軸を中心に互いに前後内側方向に回動されることで、上型体８０・８０の形状に沿わせて折目線１１・１１の位置で前後の外側壁５・５が垂直方向に曲げられて谷折りされる。
【００６０】
そして、搬送ユニット４２の搬送フレーム６０が上動されて上型体８０・８０が退避されると、さらに折曲体９２・９２が前後内側方向に下型体７０の上面と近接するように略１８０度回転されることで、前後の外側壁５・５が底壁３に近接して折り曲げられる。その後、折曲体９２・９２が逆方向に回動されて元の状態に戻ることで、折目線１１・１１の位置で谷折りの折癖が付与される。
【００６１】
次いで、第二の折癖ユニット４６にて折癖が付与された原紙２は、搬送ユニット４３の搬送フレーム６１が後方位置に移動され、第二の折癖ユニット４６の上方位置にて上下昇降されて、吸着体６２にて吸着保持された状態で持ち上げられ、前方位置の第三の折癖ユニット４７へと水平搬送される（図５（ａ）参照）。そして、第三の折癖ユニット４７の上方位置にて搬送フレーム６１が下動されることで、第三の折癖ユニット４７の下型体７０・７０に載置される（図５（ｂ）及び図１１参照）。
【００６２】
図１６及び図１９に示すように、第三の折癖ユニット４７では、折曲体９４・９４を回動させて上型体８１・８１の水平部８１ａ・８１ａの上面に前後の内側壁７・７が当接するように折目線１３・１３の位置で折り曲げるとともに、上型体８１・８１の垂直部８１ｂ・８１ｂの側面に前後の係止片９・９の外辺が当接するように折目線１５・１５の位置で斜めに折り曲げて、折癖を付与する。
【００６３】
具体的には、搬送ユニット４３にて原紙２が下型体７０・７０に載置されると、上型体８１・８１にて下型体７０・７０に押さえ付けられ、搬送ユニット４３の吸着体６２による吸着保持が解除されるとともに、下型体７０の吸着体７０ａ及び折癖体９４の吸着体９４ａにて原紙２が吸着保持される（図１９（ａ）参照）。かかる状態では、原紙２の前後の外側壁５・５と前後の内側壁７・７の離間の折目線１３・１３に沿って上型体８１・８１が当接されている。次いで、折曲体９４・９４が左右方向の軸を中心に互いに前後内側方向に回動されることで、折目線１３・１３の位置で前後の内側壁７・７が垂直方向に曲げられて谷折りされる（図１９（ｂ）参照）。
【００６４】
そして、さらに折曲体９４・９４が前後内側方向に下型体７０の上面と近接するように略１８０度回転されることで、前後の内側壁７・７が上型体８１・８１の水平部８１ａ・８１ａの上面に当接するように折目線１３・１３の位置で折り曲げられるとともに、前後の係止片９・９の外辺が上型体８１・８１の垂直部８１ｂ・８１ｂの側面に当接するため、折目線１５・１５の位置で傾斜する程度に曲げられて山折りされる（図１９（ｃ）参照）。その後、折曲体９４・９４が逆方向に回動されて元の状態に戻ることで、折目線１３・１３の位置で谷折りの折癖が付与され、折目線１５・１５の位置で山折りの折癖が付与される（図１９（ｄ）参照）。
【００６５】
次いで、第三の折癖ユニット４７にて折癖が付与された原紙２は、搬送ユニット４４の搬送フレーム６１が後方位置に移動され、第三の折癖ユニット４７の上方位置にて上下昇降されて、吸着体６２にて吸着保持された状態で持ち上げられ、前方位置の第四の折癖ユニット４８へと水平搬送される（図５（ａ）参照）。そして、第四の折癖ユニット４８の上方位置にて搬送フレーム６１が下動されることで、第四の折癖ユニット４８の下型体７０・７０に載置される（図５（ｂ）及び図１３参照）。
【００６６】
図１７に示すように、第四の折癖ユニット４８では、折曲体９４・９４を回動させて上型体８１・８１の水平部８１ａ・８１ａの上面に左右の内側壁６・６が当接するように折目線１２・１２の位置で折り曲げるとともに、上型体８１・８１の垂直部８１ｂ・８１ｂの側面に左右の係止片８・８の外辺が当接するように折目線１４・１４の位置で斜めに折り曲げて、折癖を付与する。
【００６７】
具体的には、搬送ユニット４４にて原紙２が下型体７０・７０に載置されると、上型体８１・８１にて下型体７０・７０に押さえ付けられ、搬送ユニット４４の吸着体６２による吸着保持が解除されるとともに、下型体７０の吸着体７０ａ及び折癖体９４の吸着体９４ａにて原紙２が吸着保持される。かかる状態では、原紙２の左右の外側壁４・４と左右の内側壁６・６の離間の折目線１２・１２に沿って上型体８１・８１が当接されている。次いで、折曲体９４・９４が前後方向の軸を中心に互いに左右内側方向に回動されることで、折目線１２・１２の位置で左右の内側壁６・６が垂直方向に曲げられて谷折りされる。
【００６８】
そして、さらに折曲体９４・９４が左右内側方向に下型体７０の上面と近接するように略１８０度回転されることで、左右の内側壁６・６が上型体８１・８１の水平部８１ａ・８１ａの上面に当接するように折目線１２・１２の位置で折り曲げられるとともに、左右の係止片８・８の外辺が上型体８１・８１の垂直部８１ｂ・８１ｂの側面に当接するため、折目線１４・１４の位置で傾斜する程度に曲げられて山折りされる。その後、折曲体９４・９４が逆方向に回動されて元の状態に戻ることで、折目線１２・１２の位置で谷折りの折癖が付与され、折目線１４・１４の位置で山折りの折癖が付与される。
【００６９】
このようにして折癖部４０にて折癖が付与された原紙２は、製函部５０の搬送体５１が後方位置に移動され、第四の折癖ユニット４８の下方位置にて上動されることで持ち上げられて、前方位置へと水平搬送される。そして、下型体５２の下方位置にて搬送体５１が下動されることで、下型体５２に載置される（図１参照）。
【００７０】
図２０に示すように、製函部５０では、原紙２が下型体５２上に載置されると、原紙２の上方に上型体５３を位置させた状態で、第一の左右折曲体５４が内側方向に回動されて、左右の内側壁６・６が谷折りして折り込められるとともに、左右の係止片８・８が「く」字状に折り込められて山折りされる。その後、さらに第二の左右折曲体５５が内側方向に回動されて、左右の外側壁４・４が折り込められて、垂直に立ち上げられる（図２０（ａ）参照）。
【００７１】
次いで、第一の前後折曲体５６が内側方向に回動されて、前後の外側壁５・５が折り込められて、垂直に立ち上げられる。その際、左右の外側壁４・４と連設される折片１７・１７が折目線１６・１６で谷折りされ、前後の外側壁５・５に連設される折片１９・１９が折目線１８・１８で谷折りされるとともに、折片１７・１７と折片１９・１９が折目線２０・２０で山折りされる。また、左右の内側壁６・６に連設される耳片２２・２２も折目線２１・２１で谷折りされる。その後、第二の前後折曲体５７が内側方向に回動されて、前後の内側壁７・７が折辺１７、折辺１９及び耳片２２を包むようにして折り込められるとともに、前後の係止片９・９の端辺が底壁３の上面に当接して折目線１５・１５で山折りされ、左右の係止片８・８の間に入り込む。
【００７２】
そして、左右折曲体５４・５５及び前後曲折体５６・５７が回動して元の状態に復帰するとともに、上型体５３が退避位置まで上昇することで、左右の係止片８・８の端部にて前後の係止片９・９の端部が押えられて前後の内側壁７・７が上方へ回動して元の状態に開くことがなく、また、前後の内側壁７・７にて耳片２２が押えられて左右の内側壁６・６が開くことがない二重側壁組立函１が組み立てられる。
【００７３】
このようにして組み立てられた二重側壁組立函１は、搬送体５１にて搬出装置５８ｃに送られて機外に排出される。そして、給紙部３０より次の原紙２が順次連続して搬送されるため、搬送部４０及び製函部５０にて二重側壁組立函１が連続して組み立てられる。
【００７４】
以上のように、本実施例の自動製函機１００は、平面視四角形の底壁３と、底壁３の四周辺に折目線１０・１０・１１・１１を介して連設される外側壁４・４・５・５と、外側壁４・４・５・５の外側に折目線１２・１２・１３・１３を介して連設される内側壁６・６・７・７と、内側壁６・６・７・７の外側に折目線１４・１４・１５・１５を介して連設される係止片８・８・９・９と、を有する原紙２を組み立てて二重側壁組立函１を形成する自動製函機１００において、原紙２を集積保持する給紙部３０と、給紙部３０より水平搬送された原紙２の外側壁４・４・５・５、内側壁６・６・７・７及び係止片８・８・９・９を折目線１０・１０・１１・１１・１２・１２・１３・１３・１４・１４・１５・１５に沿って折り曲げて折癖を付与する折癖部４０と、折癖部４０にて折癖が付与された原紙２を折り込む製函部５０と、を具備してなり、折癖部４０は、水平方向に沿って複数配設され、原紙２を吸着保持して搬送方向下流側に水平搬送する搬送ユニット４１・４２・４３・４４と、水平方向に沿って複数配設され、搬送ユニット４１・４２・４３・４４にて搬送された原紙２を下型体７０に載置させ、原紙２の上方に上型体８０・８１を位置させた状態で、折曲体９０・９２・９４を内側方向に回動させて、上型体８０・８１の形状に沿わせて所定の折目線の位置で外側壁４・４・５・５、内側壁６・６・７・７、又は係止片８・８・９・９を折り曲げる折癖ユニット４５・４６・４７・４８と、が設けられるため、捻りや擦り傷の発生を防止して外観品質を向上させた組立函を形成することができるのである。
【００７５】
すなわち、本実施例の自動製函機１００は、折癖部４０にて原紙２の外側壁４・４・５・５、内側壁６・６・７・７及び係止片８・８・９・９を所定の折目線に沿って折り曲げて折癖を付与するように構成されるため、製函部５０にて二重側壁組立函１を組み立てる際に、予め折癖が付与されることで、完成品である二重側壁組立函１に捩れや捻りが生じるのを防止することができる。また、折癖部４０では、搬送ユニット４１・４２・４３・４４にて原紙２を吸着保持して搬送方向下流側に水平搬送し、折癖ユニット４５・４６・４７・４８にて停止状態で折曲体９０・９２・９４を内側方向に回動させることで折癖を付与するように構成されるため、搬送中及び折癖付与中の原紙２に擦り傷が付くのを防止することができる。そのため、本実施例の自動製函機１００では、従来のものと比べて、外観品質（形状及び表面状態）に優れた二重側壁組立函１を得ることができる。
【００７６】
特に、折癖部４０は、左右の外側壁４・４、前後の外側壁５・５、左右の内側壁６・６及び左右の係止片８・８、並びに前後の内側壁７・７及び前後の係止片９・９を個別に折り曲げて折癖を付与する第一の折癖ユニット４５、第二の折癖ユニット４６、第三の折癖ユニット４７及び第四の折癖ユニット４８が設けられるため、予め底壁３の四周辺の全ての側壁に折癖を付与して、製函部５０で折り込むことができ、二重側壁組立函１に捩れや捻りが生じるのをより効果的に防止することができる。
【００７７】
また、第一の折癖ユニット４５及び第二の折癖ユニット４６は、原紙２の底壁３と前後又は左右の外側壁４・４・５・５との離間の折目線１０・１０・１１・１１に沿うように配設される断面長方形状の上型体８０・８０を有してなり、折曲体９０・９０及び折曲体９２・９２を回動させて上型体８０・８０の側面に外側壁４・４・５・５が当接するように折目線１０・１０・１１・１１の位置で折り曲げ、上型体８０・８０を退避させた後に、更に折曲体９０・９２を回動させて外側壁４・４・５・５が底壁３に当接するように折目線１０・１０・１１・１１の位置で折り曲げて、折癖を付与するものであるため、外側壁４・４・５・５を精度よく折り曲げることができ、折目線１０・１０・１１・１１の位置で谷折りの折癖を確実に付与することができる。
【００７８】
また、第三の折癖ユニット４６及び第四の折癖ユニット４７は、原紙２の前後又は左右の外側壁４・４・５・５と内側壁６・６・７・７との離間の折目線１２・１２・１３・１３に沿うように配設される断面略Ｌ字状の上型体８１・８１を有してなり、折曲体９４・９４を回動させて上型体８１・８１の水平部８１ａ・８１ａの上面に内側壁６・６・７・７が当接するように折目線１２・１２・１３・１３位置で折り曲げるとともに、上型体８１・８１の垂直部８１ｂ・８１ｂの側面に係止片８・８・９・９の外辺が当接するように折目線１４・１４・１５・１５の位置で斜めに折り曲げて、折癖を付与するものであるため、内側壁６・６・７・７及び係止片８・８・９・９を精度よく折り曲げることができ、折目線１０・１０・１１・１１の位置で谷折りの折癖を、また、折目線１４・１４・１５・１５の位置で山折りの折癖をそれぞれ確実に付与することができる。
【００７９】
また、搬送ユニット４１・４２・４３・４４は、上下往復動可能かつ前後往復動可能に配設される搬送フレーム６０・６１と、搬送フレーム６０・６１に配設される原紙吸着保持用の吸着体６２とを有してなるため、吸着体６２にて原紙２を傷付けることなく保持し、簡易な構成で持ち上げながら前方位置まで水平方向に容易に搬送することができる。
【００８０】
なお、自動製函機１００の構成としては、上述した実施例に限定されず、本発明の目的を逸脱しない限りにおいて種々の変更が可能である。
【００８１】
すなわち、上述した実施例の自動製函機１００では、折癖部４０において、搬送ユニット４１・４２・４３・４４及び折癖ユニット４５・４６・４７・４８が配設されているが、かかる搬送ユニット４１・４２・４３・４４及び折癖ユニット４５・４６・４７・４８の配置構成はこれに限定されず、前後左右の外側壁４・４・５・５、内側壁６・６・７・７及び係止片８・８・９・９を折目線１０・１０・１１・１１・１２・１２・１３・１３・１４・１４・１５・１５に沿って折り曲げて折癖を付与するように構成されればよい。例えば、対応する各ユニットの配置が搬送方向上流側から下流側に向けてその順序が入れ替わってもよい。また、各ユニットに配置される下型体７０、上枠体８０・８１、折曲体９０・９２・９４の離間が対応する原紙２の大きさや形状に併せて調整変更できるように構成されてもよい。
【００８２】
また、上述した実施例の自動製函機１００では、折癖部４０の折癖ユニット４５・４６・４７・４８において、各ユニットにて下型体７０や上型体８０・８１等が前後方向又は左右方向のいずれかに向けられて配置され、原紙２の向きを変えることなく水平搬送して折癖を付与するように構成されているが、かかる構成はこれに限定されず、例えば、下型体７０や上型体８０・８１等が前後方向又は左右方向のいずれか一方に揃えて配置され、搬送ユニット４１・４２・４３・４４に別途回転機構を設けるなどして原紙２の向きを変更させて水平搬送して折癖を付与するように構成してもよい。
【００８３】
また、上述した実施例の自動製函機１００では、外側壁４・４・５・５及び内側壁６・６・７・７が連設される原紙２を用いて、小幅帯部（額縁）のない二重側壁を有する二重側壁組立函１を形成する構成について説明したが、組立函の形状としてはこれに限定されず、例えば、外側壁と内側壁との間に額縁片が連設され、底壁３の周囲に小幅帯部のある二重側壁を有する組立函を形成するようにしてもよい。
【００８４】
別実施例の原紙２としては、例えば図２１に示すように、平面視四角形の底壁３と、底壁３の四周辺に折目線１０・１０・１１・１１を介して連設される外側壁４・４・５・５と、外側壁４・４・５・５の外側に折目線１２・１２・１３・１３を介して連設される額縁片２３・２３・２４・２４と、額縁片２２・２３・２４・２４の更に外側に折目線２５・２５・２６・２６を介して連設される内側壁６・６・７・７と、内側壁６・６・７・７の外側に折目線１４・１４・１５・１５を介して連設される係止片８・８・９・９等とを有するように形成されてもよい。
【００８５】
底壁３の左右の長辺には、折目線１０・１０を介して左右の外側壁４・４が連設され、外側壁４・４の外側に折目線１２・１２を介して左右の額縁片２３・２３が連設され、額縁片２３・２３の更に外側に折目線２５・２５を介して左右の内側壁６・６が連設され、内側壁６・６の外側に折目線１４・１４を介して係止片８・８が連設されている。また、底壁３の前後の短辺には、折目線１１・１１を介して前後の外側壁５・５が連設され、外側壁５・５の外側に折目線１３・１３を介して前後の額縁片２４・２４が連設され、額縁片２４・２４の更に外側に折目線２６・２６を介して前後の内側壁７・７が連設され、内側壁７・７の外側に折目線１５・１５を介して前後の係止片９・９が連設されている。
【００８６】
なお、かかる原紙２が用いられる場合、自動製函機１００の折癖ユニット４７・４８では、上記実施例と比べて上型体８１の形状が変更され、水平部８１ａの側面に額縁片２３・２４を当接させ、上面に内側壁６・７を当接させて、折目線１２・１３及び折目線２４・２５の位置で谷折りの折癖が付与され、折目線１４・１５の位置で山折りの折癖が付与されるように構成される（図略）。
【符号の説明】
【００８７】
１      二重側壁組立函
２      原紙
３      底壁
４・５      外側壁
６・７      内側壁
８・９      係止片
１０・１１・１２・１３・１４・１５      折目線
３０    給紙部
３１    原紙ホルダ装置
４０    折癖部
４１・４２・４３・４４    搬送ユニット
４５・４６・４７・４８    折癖ユニット
５０    製函部
５１    搬送体
６０・６１    搬送フレーム
６２    吸着体
６６    搬送機構
６６ａ  上下昇降装置
６６ｂ  前後移動装置
７０    下型体
８０・８１  上型体
９０・９２・９４    折曲体
１００  自動製函機
【図１】
2019038150.tif 000003
【図２】
2019038150.tif 000004
【図３】
2019038150.tif 000005
【図４】
2019038150.tif 000006
【図５】
2019038150.tif 000007
【図６】
2019038150.tif 000008
【図７】
2019038150.tif 000009
【図８】
2019038150.tif 000010
【図９】
2019038150.tif 000011
【図１０】
2019038150.tif 000012
【図１１】
2019038150.tif 000013
【図１２】
2019038150.tif 000014
【図１３】
2019038150.tif 000015
【図１４】
2019038150.tif 000016
【図１５】
2019038150.tif 000017
【図１６】
2019038150.tif 000018
【図１７】
2019038150.tif 000019
【図１８】
2019038150.tif 000020
【図１９】
2019038150.tif 000021
【図２０】
2019038150.tif 000022
【図２１】
2019038150.tif 000023